(57)【要約】【課題】高さ方向の大きさは抑えたまま、利得を高め指向性を制御できる無線通信用放射アンテナを提供する。【解決手段】無線通信用放射アンテナは、線状アンテナ素子１０と、アーム素子２０とからなる。線状アンテナ素子１０は、給電部１５から延在するものである。アーム素子２０は、線状アンテナ素子１０の利得を高め指向性を制御するためのものであり、給電部１５から遠い側の先端に接続されるものである。そして、給電部１５から線状アンテナ素子１０を通りアーム素子２０の開放端までの電気長は、ターゲット周波数の高次モードで共振するように設計される。【選択図】図１
2013038785.tif 000002
【特許請求の範囲】
【請求項１】
無線通信用放射アンテナであって、該放射アンテナは、
給電部から延在する線状アンテナ素子と、
前記線状アンテナ素子の利得を高め指向性を制御するために線状アンテナ素子の給電部から遠い側の先端に接続される少なくとも１つのアーム素子と、
を具備し、
給電部から線状アンテナ素子を通りアーム素子の開放端までの電気長は、ターゲット周波数の高次モードで共振するように設計されることを特徴とする無線通信用放射アンテナ。
【請求項２】
請求項１に記載の無線通信用放射アンテナにおいて、給電部から線状アンテナ素子を通りアーム素子の開放端までの電気長は、ターゲット周波数の３次モード以上の奇数モードで共振するように設計されることを特徴とする無線通信用放射アンテナ。
【請求項３】
請求項１に記載の無線通信用放射アンテナにおいて、給電部から線状アンテナ素子を通りアーム素子の開放端までの電気長は、ターゲット周波数の２次モード以上の偶数モードで共振するように設計され、
さらに、線状アンテナ素子の給電部に設けられるインピーダンス変換器を具備することを特徴とする無線通信用放射アンテナ。
【請求項４】
請求項１乃至請求項３の何れかに記載の無線通信用放射アンテナにおいて、前記アーム素子は、線状アンテナ素子の長手方向に対して傾斜して配置されることを特徴とする無線通信用放射アンテナ。
【請求項５】
請求項１乃至請求項４の何れかに記載の無線通信用放射アンテナにおいて、前記アーム素子は、４つのアーム素子からなることを特徴とする無線通信用放射アンテナ。
【請求項６】
請求項５に記載の無線通信用放射アンテナにおいて、前記アーム素子が、線状アンテナ素子の長手方向から見て線状アンテナ素子の先端を中心に９０度毎に配置されることを特徴とする無線通信用放射アンテナ。
【請求項７】
請求項１乃至請求項６の何れかに記載の無線通信用放射アンテナにおいて、前記アーム素子の形状が、直線状、ヘリカル状、メアンダ状の何れかであることを特徴とする無線通信用放射アンテナ。
【請求項８】
請求項１に記載の無線通信用放射アンテナにおいて、前記線状アンテナ素子はダイポールアンテナ素子からなり、前記アーム素子はダイポールアンテナ素子の給電部から遠い両側の先端にそれぞれ接続されることを特徴とする無線通信用放射アンテナ。
【発明の詳細な説明】
【技術分野】
【０００１】
本発明は無線通信用放射アンテナに関し、特に、利得を高め指向性を制御した無線通信用放射アンテナに関する。
【背景技術】
【０００２】
通常、モノポールアンテナやダイポールアンテナ等の線状アンテナ素子を用いた無線通信用放射アンテナは、ターゲット周波数の１／４波長や１／２波長の電気長を有するものが一般的である。このようなアンテナの利得は一般的には約２ｄＢｉ程度であり、利得の向上が望まれていた。
【０００３】
また、高利得アンテナとして、コリニアアレイアンテナが知られている。これは、例えば特許文献１に開示のように、垂直に設置したダイポールアンテナを複数個スタックしてアレイ化することで構成されるものである。
【０００４】
また、より高次のモードで共振するアンテナも知られている。例えば、特許文献２に開示のアンテナ装置は、２つの周波数に対応するように構成されたものであり、第１周波数が１／４波長、第１周波数の２倍の第２周波数が３／４波長の信号を送受信できるように構成されたものである。このアンテナ装置は、全長３／４波長のアンテナ素子が実質的に平行な部分を有するように１回折り返され、この平行な部分と開放端側の１／４波長部分とが実質的に平行にならないように構成されたものである。
【０００５】
さらに、３／４波長のアンテナ素子の他の例としては、例えば特許文献３に開示のものが挙げられる。この例では、Ｔ字型のアンテナ素子の両側に、メアンダ形状のアンテナ素子が付加され、給電点からメアンダ形状のアンテナ素子の開放端までの電気長がＦＭラジオ放送信号の３／４波長であるものである。このアンテナは、ＦＭラジオ放送信号とＡＭラジオ放送信号の２つの周波数帯に対応させたものであり、Ｔ字型のアンテナ素子の部分がＦＭラジオ放送信号用であり、Ｔ字型にメアンダ形状のアンテナ素子を付加した部分がＡＭラジオ放送信号用の部分である。
【先行技術文献】
【特許文献】
【０００６】
【特許文献１】特開平０９−２３２８５１号公報
【特許文献２】特開平１０−５６３１５号公報
【特許文献３】特開２０１１−３５５１９号号公報
【発明の概要】
【発明が解決しようとする課題】
【０００７】
しかしながら、特許文献１に開示のようなコリニアアレイアンテナの場合、複数のダイポールアンテナをスタックしてアレイ化する必要があるため、高さがある程度必要であった。例えば車両用のルーフマウントアンテナ等に用いるには、所定の高さ制限があるため、コリニアアレイアンテナを適用するのは難しかった。
【０００８】
また、特許文献２に開示のアンテナは、まず、平行となる部分が必要であり、また、３／４波長のアンテナ素子のうち１／４波長の部分が平行にならないように折り返されなければならないものであり、形状に制限があった。また、指向性もサイドローブが大きく、また、任意の方向に指向性を制御できるものでもなかった。
【０００９】
また、特許文献３に開示のアンテナは、ＦＭラジオ放送信号の３／４波長に電気長が設定されているが、この電気長ではＡＭラジオ放送信号の３／４波長にはまったく足りていないため、この部分については放射アンテナではなく、所謂容量アンテナとして機能するものである。したがって、利得も低く、また、任意の方向に指向性を制御できるものでもなかった。
【００１０】
本発明は、斯かる実情に鑑み、高さ方向の大きさは抑えたまま、利得を高め指向性を制御できる無線通信用放射アンテナを提供しようとするものである。
【課題を解決するための手段】
【００１１】
上述した本発明の目的を達成するために、本発明による無線通信用放射アンテナは、給電部から延在する線状アンテナ素子と、線状アンテナ素子の利得を高め指向性を制御するために線状アンテナ素子の給電部から遠い側の先端に接続される少なくとも１つのアーム素子と、を具備するものである。そして、給電部から線状アンテナ素子を通りアーム素子の開放端までの電気長は、ターゲット周波数の高次モードで共振するように設計されれば良い。
【００１２】
また、給電部から線状アンテナ素子を通りアーム素子の開放端までの電気長は、ターゲット周波数の３次モード以上の奇数モードで共振するように設計されれば良い。
【００１３】
また、給電部から線状アンテナ素子を通りアーム素子の開放端までの電気長は、ターゲット周波数の２次モード以上の偶数モードで共振するように設計されても良く、さらに、線状アンテナ素子の給電部に設けられるインピーダンス変換器を具備すれば良い。
【００１４】
また、アーム素子は、線状アンテナ素子の長手方向に対して傾斜して配置されれば良い。
【００１５】
また、アーム素子は、４つのアーム素子からなれば良い。
【００１６】
また、アーム素子が、線状アンテナ素子の長手方向から見て線状アンテナ素子の先端を中心に９０度毎に配置されれば良い。
【００１７】
また、アーム素子の形状が、直線状、ヘリカル状、メアンダ状の何れかであれば良い。
【００１８】
また、線状アンテナ素子はダイポールアンテナ素子からなり、アーム素子はダイポールアンテナ素子の給電部から遠い両側の先端にそれぞれ接続されれば良い。
【発明の効果】
【００１９】
本発明の無線通信用放射アンテナには、高さ方向の大きさは抑えたまま、利得を高め指向性を制御できるという利点がある。
【図面の簡単な説明】
【００２０】
【図１】図１は、本発明の第１実施例の無線通信用放射アンテナを説明するための概略図である。
【図２】図２は、本発明の第１実施例の無線通信用放射アンテナの指向性のシミュレーション結果を表す図である。
【図３】図３は、図１に示される本発明の第１実施例の無線通信用放射アンテナの指向性のシミュレーション結果を表す図である。
【図４】図４は、本発明の第１実施例の無線通信用放射アンテナのアーム素子を水平から３０度にした場合の指向性のシミュレーション結果を表す図である。
【図５】図５は、本発明の第１実施例の無線通信用放射アンテナのアーム素子を水平から１５度にした場合の指向性のシミュレーション結果を表す図である。
【図６】図６は、本発明の第１実施例の無線通信用放射アンテナのアーム素子を水平方向にした場合の指向性のシミュレーション結果を表す図である。
【図７】図７は、本発明の第１実施例の無線通信用放射アンテナにおいてアーム素子を２つ用いた例を説明するための概略斜視図である。
【図８】図８は、図７に示される本発明の第１実施例の無線通信用放射アンテナにおいてアーム素子を２つ用いた場合の指向性のシミュレーション結果を表す図である。
【図９】図９は、本発明の第１実施例の無線通信用放射アンテナにおいてアーム素子を１つだけ用いた例を説明するための概略斜視図である。
【図１０】図１０は、図９に示される本発明の第１実施例の無線通信用放射アンテナにおいてアーム素子を１つだけ用いた場合の指向性のシミュレーション結果を表す図である。
【図１１】図１１は、本発明の第１実施例の無線通信用放射アンテナにおいてアーム素子を８つ用いた例を説明するための概略斜視図である。
【図１２】図１２は、図１１に示される本発明の第１実施例の無線通信用放射アンテナにおいてアーム素子を８つ用いた場合の指向性のシミュレーション結果を表す図である。
【図１３】図１３は、本発明の第２実施例の無線通信用放射アンテナを説明するための概略斜視図である。
【図１４】図１４は、図１３に示される本発明の第２実施例の無線通信用放射アンテナの指向性のシミュレーション結果を表す図である。
【図１５】図１５は、本発明の第３実施例の無線通信用放射アンテナを説明するための概略斜視図である。
【発明を実施するための形態】
【００２１】
以下、本発明を実施するための形態を図示例と共に説明する。図１は、本発明の第１実施例の無線通信用放射アンテナを説明するための概略図であり、図１（ａ）がその斜視図を、図１（ｂ）が正面図を、図１（ｃ）が上面図をそれぞれ表している。図示の通り、本発明の第１実施例の無線通信用放射アンテナは、線状アンテナ素子１０と、アーム素子２０とから主に構成されている。図１（ａ）に示されるように、この線状アンテナ素子１０とアーム素子２０が、グラウンド板３０上に配置されている。
【００２２】
線状アンテナ素子１０は、給電部１５から延在するものである。給電部１５は、通常はグラウンド板３０の所定の位置に設けられる孔を介してアンテナ素子に給電する所である。線状アンテナ素子１０は、具体的には、例えば長手方向に垂直な断面が円柱状や角柱状等の形状を有し、導電性部材からなるものである。図示例では、線状アンテナ素子１０は直線状のモノポールアンテナ素子からなるものを示した。
【００２３】
アーム素子２０は、線状アンテナ素子１０の給電部１５から遠い側の先端に接続されるものである。図示例では、４つのアーム素子２０がそれぞれ線状アンテナ素子１０の先端に接続されている。アーム素子２０は、線状アンテナ素子１０の利得を高め指向性を制御するためのものである。また、アーム素子２０は、例えば長手方向に垂直な断面が円柱状や角柱状等の形状を有し、導電性部材からなるものである。そして、図示例では、アーム素子２０は、線状アンテナ素子１０の長手方向に対して傾斜して配置されている。より具体的には、図１（ｂ）に示されるように、アーム素子２０は、線状アンテナ素子１０に対して１６０度（水平から２０度）となるように配置されている。また、図１（ｃ）に示されるように、アーム素子２０は、線状アンテナ素子１０の長手方向から見て線状アンテナ素子１０の先端を中心に９０度毎に配置され、且つｚ軸方向を中心にｘｙ軸から４５度回転させた状態となるように配置されている。なお、アーム素子２０による指向性制御については後述する。
【００２４】
ここで、線状アンテナ素子１０とアーム素子２０の電気長について説明する。給電部１５から線状アンテナ素子１０を通りアーム素子２０の各開放端までのそれぞれの電気長は、ターゲット周波数の高次モードで共振するように設計されている。ここで、電気長はアーム素子２０が複数本ある場合には、それぞれのアーム素子の開放端までの長さを意味する。また、ターゲット周波数とは、例えば高度道路交通システム（ＩＴＳ）では５．８ＧＨｚ帯であり、Ｂｌｕｅｔｏｏｔｈ（登録商標）であれば２．４ＧＨｚ帯である。また、Ｗｉ−Ｆｉ（登録商標）やＷｉＭＡＸ（登録商標）等、種々の周波数帯でも適用可能である。なお、本発明の無線通信用放射アンテナは、これらの特定の周波数帯には限定されず、如何なる周波数帯においても適用可能である。
【００２５】
また、高次モードとは、例えばターゲット周波数の１／４波長の電気長ではなく、ｎ／４波長（ｎ＝２，３，４・・・）というように、２次モード以上を意味する。２次モード以上の高次モードで共振するように設計することで、利得を高めることが可能となる。なお、電気長については物理的に正確にｎ／４波長等に設計されるわけではなく、短縮率に応じて短縮されても良いものである。
【００２６】
給電部１５から線状アンテナ素子１０を通ってアーム素子２０の開放端までの電気長が、例えば３次モード以上の奇数モードで共振するように設計された場合、ターゲット周波数の３／４波長の電気長となる。例えば３／４波長の電気長となるように設計された場合、線状アンテナ素子１０を１／４波長とし、アーム素子２０を１／２波長とすれば良い。より具体的には、例えば高度道路交通システムの５．８ＧＨｚ帯をターゲット周波数とした場合には、線状アンテナ素子を１２．５ｍｍで設計し、アーム素子を２５ｍｍで設計してトータルで３７．５ｍｍとすれば良い。また、例えば５／４波長の電気長となるように設計された場合、線状アンテナ素子１０を１／４波長とし、アーム素子２０を１波長とすれば良い。ここで、線状アンテナ素子とアーム素子の長さの比は特定のものには限定されず、全長が３次モード以上の奇数モードで共振するように設計されれば良い。
【００２７】
このように構成された本発明の第１実施例の無線通信用放射アンテナの指向性について図２を用いて説明する。図２は、本発明の第１実施例の無線通信用放射アンテナの指向性のシミュレーション結果を表す図である。同図は、グラウンド板として無限地板を用いたものである。また、図３は、図１に示されるようにグラウンド板として有限地板を用いた本発明の第１実施例の無線通信用放射アンテナの指向性のシミュレーション結果を表す図である。なお、図２のシミュレーション結果のみ、線状アンテナ素子の長手方向から見たアーム素子の配置方向がｘｙ軸方向となっており、他のシミュレーション結果はｘｙ軸方向から４５度回転させた方向となっている。また、図２のシミュレーション結果のみ無限地板を用いたものであり、他のシミュレーション結果は特に説明が無い限り、有限地板を用いたものである。
【００２８】
一般的なモノポールアンテナでは、放射方向はｘｙ平面に対して斜め上方向に傾く、即ち、仰角方向に放射することが知られているが、本発明によれば、図２に示されるように、水平方向に放射していることが分かる。また、放射パターンはアーム素子が存在している方向、即ち、ｘｙ平面上で見るとアーム素子の開放端方向に最も利得が高い領域が存在していることが分かる。最も利得が高い領域では、無限地板を用いた例では最大で約８．０１ｄＢｉまで向上していることも分かる。また、有限地板を用いた例でも最大で約５．５４ｄＢｉまで向上していることも分かる。また、アーム素子が存在している４方向に高利得な放射パターンが集中しており、任意の複数の方向に指向性を有するアンテナが実現できていることも分かる。例えば高度道路交通システムの場合には、車車間通信を行うので水平方向に近い方向の指向性を有するアンテナが好ましいので、図３に示されるような特性を有するアンテナは、高度道路交通システムに適用するのに都合が良い。
【００２９】
次に、無線通信用放射アンテナのアーム素子を水平から３０度にした場合の指向性のシミュレーション結果を図４に示す。アーム素子の角度を水平（ｘｙ平面）から３０度に変えた場合、最大利得は６．１１ｄＢｉとなっており、さらに図３の結果と比べて上方向（ｚ軸方向）のサイドローブが縮小していることが分かる。また、利得が高い領域が、ｘｙ平面上で見るとアーム素子の開放端方向で且つ斜め上方向（仰角方向）に向いていることが分かる。最大利得領域の斜め上方向の角度については、アーム素子を図３の２０度から３０度に変えたことで、若干であるが水平側に傾斜していることも分かる。
【００３０】
さらに、無線通信用放射アンテナのアーム素子を水平から１５度にした場合の指向性のシミュレーション結果を図５に示す。アーム素子の角度を水平から１５度に変えた場合、最大利得は６．０３ｄＢｉとなっており、水平方向（ｘｙ平面方向）だけでなくさらにより上方向（ｚ軸方向）の指向性も強く出ており、より複数の方向に指向性を有するアンテナが実現できていることも分かる。最大利得領域の斜め上方向の角度については、アーム素子を図３の２０度から１５度に変えたことで、より上方向に傾斜していることも分かる。例えば道路上にある通信設備等のインフラと車との間の通信にアンテナが用いる場合には、ある程度上方向への指向性も有しているものが好ましいため、図５に示されるような特性を有するアンテナは都合が良い。
【００３１】
さらにまた、無線通信用放射アンテナのアーム素子を水平方向にした場合の指向性のシミュレーション結果を図６に示す。アーム素子の角度を水平に変えた場合、最大利得は８．６ｄＢｉとなっており、さらに上方向（ｚ軸方向）への指向性が強くなっていることが分かる。この例も、例えば道路上にある通信設備等のインフラと車との間の通信に用いることも可能である。
【００３２】
このように、本発明の無線通信用放射アンテナでは、アーム素子の角度を変えるだけで、指向性を変化させることが可能となる。また、単純なモノポールアンテナに比べて利得も大幅に向上させることが可能となる。具体的には、アーム素子の水平からの角度が大きい場合には、利得の高い主放射パターン（メインローブ）は比較的水平方向を向き、サイドローブは上方向に小さく出ている。そして、アーム素子の水平からの角度を小さくしていくと、メインローブは小さくなり、サイドローブが大きくなっていく。そして、ある程度の角度までいくと、メインローブが上方向となる。ここで、この上方向となるメインローブのｘｙ平面上の放射方向は、線状アンテナ素子の長手方向から見たアーム素子の配置方向とは一致しない。そして、アーム素子の水平からの角度を小さくしていくと、メインローブの利得が高くなっていくように働く。即ち、単純にアーム素子の角度に応じてリニアに放射方向の角度が変わるものではなく、ある仰角からは種々の放射方向を有するようになると共に、メインローブの利得が徐々に高くなっていくことになる。
【００３３】
次に、本発明の第１実施例の無線通信用放射アンテナにおいて、アーム素子を２つ用いた例について説明する。図７は、本発明の第１実施例の無線通信用放射アンテナにおいてアーム素子を２つ用いた例を説明するための概略斜視図である。図示のように、本実施例では、給電部１５から線状アンテナ素子１０が延在し、線状アンテナ素子１０の給電部１５から遠い側の先端に２つのアーム素子２０が接続されている。また、図示例では２つのアーム素子２０は、線状アンテナ素子１０の長手方向から見て線状アンテナ素子１０の先端を中心に１８０度となるように配置されているものを示した。
【００３４】
本発明の第１実施例の無線通信用放射アンテナでは、アーム素子がこのように２つであっても良い。２つのアーム素子により、指向性を制御することが可能である。図８は、図７に示される本発明の第１実施例の無線通信用放射アンテナにおいてアーム素子を２つ用いた場合の指向性のシミュレーション結果を表す図である。図示の通り、放射パターンはアーム素子により影響を受け、ｘｙ平面上で見るとアーム素子の開放端方向に最も利得が高い領域が存在していることが分かる。そして、利得の高い領域は、最大で約７．９３ｄＢｉまで向上していることもわかる。図３等のアーム素子が４つの場合と比べて最大利得が向上しているのは、アーム素子の無い方向へは放射されないため、アーム素子の存在する方向、即ち２方向へエネルギが集約されたためである。また、アーム素子の角度を種々調整することで、指向性を所定の方向に制御することも可能である。
【００３５】
ここで、図示例では、２つのアーム素子２０は、線状アンテナ素子１０の長手方向から見て線状アンテナ素子１０の先端を中心に１８０度となるように配置された例を示したが、本発明はこれに限定されない。例えば、２つのアーム素子を一方向側に偏らせて、即ち、線状アンテナ素子の長手方向から見てＶ字形となるように配置しても良い。これにより、放射パターンはアーム素子により影響を受け、ｘｙ平面上で見るとＶ字形状に配置されたアーム素子の開放端方向に最も利得が高い領域が存在するようになる。このように、指向性を予定の方向に制御することが可能である。
【００３６】
さらに、本発明の第１実施例の無線通信用放射アンテナにおいて、アーム素子を１つだけ用いた例について説明する。図９は、本発明の第１実施例の無線通信用放射アンテナにおいてアーム素子を１つだけ用いた例を説明するための概略斜視図である。図示のように、本実施例では、給電部１５から線状アンテナ素子１０が延在し、線状アンテナ素子１０の給電部１５から遠い側の先端に１つのアーム素子２０が接続されている。
【００３７】
本発明の第１実施例の無線通信用放射アンテナでは、アーム素子がこのように１つだけであっても良い。図１０は、図９に示される本発明の第１実施例の無線通信用放射アンテナにおいてアーム素子を１つだけ用いた場合の指向性のシミュレーション結果を表す図である。図示の通り、放射パターンはアーム素子により影響を受け、２つのアーム素子を用いた図８の放射パターンと比べて、若干ｚ軸方向に偏って最も利得が高い領域が存在していることが分かる。そして、利得の高い領域は、最大で約５．８２ｄＢｉまで向上していることもわかる。このような放射特性であっても、用途によっては利用可能である。また、アーム素子の角度を種々調整することで、指向性を所定の方向に制御することも可能である。
【００３８】
さらに、本発明の第１実施例の無線通信用放射アンテナにおいて、アーム素子を８つ用いた例について説明する。図１１は、本発明の第１実施例の無線通信用放射アンテナにおいてアーム素子を８つ用いた例を説明するための概略斜視図である。図示のように、本実施例では、給電部１５から線状アンテナ素子１０が延在し、線状アンテナ素子１０の給電部１５から遠い側の先端に８つのアーム素子２０が接続されている。また、図示例では８つのアーム素子２０のそれぞれ隣り合うアーム素子間の角度は、線状アンテナ素子１０の長手方向から見て線状アンテナ素子１０の先端を中心に４５度となるようにそれぞれ配置されているものを示した。
【００３９】
本発明の第１実施例の無線通信用放射アンテナでは、アーム素子がこのように８つであっても良い。８つのアーム素子により、指向性をより細かく制御することも可能である。図１２は、図１１に示される本発明の第１実施例の無線通信用放射アンテナにおいてアーム素子を８つ用いた場合の指向性のシミュレーション結果を表す図である。図示の通り、放射パターンはアーム素子により影響を受け、ｘｙ平面上で見るとアーム素子の開放端方向に最も利得が高い領域が複数存在していることが分かる。したがって、より複数の方向に指向性を有することが分かる。そして、利得の高い領域は、最大で約５．２９ｄＢｉまで向上していることもわかる。
【００４０】
このように、本発明の無線通信用放射アンテナは、アーム素子により線状アンテナ素子の利得を高め指向性を制御することが可能である。そして、アーム素子の数や角度は上述の図示例には特に限定されず任意に設定でき、所望の放射パターンとなるように種々調整することが可能である。また、本発明の無線通信用放射アンテナの高さ方向の大きさは、線状アンテナ素子の長さに依存するものであるが、従来のコリニアアレイアンテナのようなスタックは不要であるため、高さ方向の大きさを抑えることも可能となる。
【００４１】
また、線状アンテナ素子やアーム素子は、３次元形状を有するものを説明したが、本発明はこれに限定されず、例えば基板上に薄膜パターン等により線状アンテナ素子やアーム素子を２次元形状でパターンニング形成して構成されたものであっても良い。
【００４２】
また、アーム素子は上述の図示例では直線状のものを示したが、本発明はこれに限定されず、ヘリカル状やメアンダ状であっても良い。即ち、アーム素子が長手方向に延在する方向はそのままで、アーム素子の開放端に向かってヘリカル状に構成されたものや、メアンダ状に構成されたものであっても良い。
【００４３】
これまで説明してきた本発明の第１実施例の無線通信用放射アンテナは、線状アンテナ素子がモノポールアンテナ素子からなるものであったが、次にダイポールアンテナ構造について説明する。図１３は、本発明の第２実施例の無線通信用放射アンテナを説明するための概略斜視図である。図中、図１と同一の符号を付した部分は同一物を表わしている。第１実施例と異なる部分は、線状アンテナ素子１７がダイポールアンテナ素子からなっている点である。アーム素子２０は、線状アンテナ素子１７の給電部１５から遠い両側の先端に、それぞれ接続されている。構造としては、第１実施例のモノポールアンテナ素子を２つ対向して配置したようなものである。このような構成であっても、本発明の第２実施例の無線通信用放射アンテナは、第１実施例と同様の作用・効果を奏する。
【００４４】
図１４は、図１３に示される本発明の第２実施例の無線通信用放射アンテナの指向性のシミュレーション結果を表す図である。図示の通り、放射パターンは水平方向且つアーム素子が存在している方向、即ち、アーム素子の開放端方向に最も利得が高い領域が存在していることが分かる。図３のモノポールアンテナ素子を用いた場合の放射パターンと比べると、−ｚ軸側にもｚ軸側と対称に放射パターンが形成されていることも分かる。そして、利得の高い領域は、最大で約４．９４ｄＢｉまで向上していることもわかる。また、水平４方向すべて高い利得が得られるように構成されており、複数の方向に指向性を有するアンテナが実現できていることも分かる。
【００４５】
ここで、図示例ではアーム素子２０は、線状アンテナ素子１７の給電部１５から遠い両側の先端にそれぞれ４つずつ接続された例を示したが、本発明はこれに限定されず、第１実施例と同様、１本から複数本まで種々適用可能である。また、アーム素子の角度についても、第１実施例と同様、所望の放射パターンとなるように種々設計することが可能である。
【００４６】
次に、本発明の無線通信用放射アンテナが偶数モードで共振するように設計された場合について説明する。上述の例では、給電部から線状アンテナ素子を通ってアーム素子の開放端までの電気長が、高次モードのうち、３次モード以上の奇数モードで共振するように設計された例について説明した。次に、２次モード以上の偶数モードで共振するように設計された例について、図１５を用いて説明する。図１５は、本発明の第３実施例の無線通信用放射アンテナを説明するための概略斜視図である。図中、図１と同一の符号を付した部分は同一物を表している。
【００４７】
給電部１５から線状アンテナ素子１０を通ってアーム素子２０の開放端までの電気長が、例えば２次モード以上の偶数モードで共振するように設計された場合、ターゲット周波数の１波長の電気長となる。例えば１波長の電気長となるように設計された場合、線状アンテナ素子１０を１／４波長とし、アーム素子２０を３／４波長とすれば良い。ここで、線状アンテナ素子とアーム素子の長さの比は特定のものには限定されず、全長が２次モード以上の偶数モードで共振するように設計されれば良い。
【００４８】
ここで、偶数モードの場合には、入力インピーダンスが高インピーダンスとなるので、インピーダンスマッチングを行うために、本発明の第３実施例の無線通信用放射アンテナでは、線状アンテナ素子１０の給電部１５に、インピーダンス変換器４０が設けられている。インピーダンス変換器４０としては、例えばストリップライン型やトランス型、抵抗型等、インピーダンス変換が可能なものであれば種々適用可能である。このようなインピーダンス変換器４０を用いることでインピーダンスマッチングを図り、所望の特性が得られるようにすれば良い。
【００４９】
このように、本発明の無線通信用放射アンテナは、奇数モードだけでなく偶数モードであっても適用可能である。
【００５０】
なお、本発明の無線通信用放射アンテナは、上述の図示例にのみ限定されるものではなく、本発明の要旨を逸脱しない範囲内において種々変更を加え得ることは勿論である。また、上述のシミュレーション結果についてもあくまでも一例であり、チューニング等を行うことで、より意図した放射パターンとすることも可能である。また、本発明の無線通信用放射アンテナは、所謂容量アンテナと区別する意味で放射アンテナとしているが、送信用だけでなく受信用にも適用可能であることは勿論である。
【符号の説明】
【００５１】
１０    線状アンテナ素子
１５    給電部
１７    線状アンテナ素子
２０    アーム素子
３０    グラウンド板
４０    インピーダンス変換器
【図１】
2013038785.tif 000003
【図２】
2013038785.tif 000004
【図３】
2013038785.tif 000005
【図４】
2013038785.tif 000006
【図５】
2013038785.tif 000007
【図６】
2013038785.tif 000008
【図７】
2013038785.tif 000009
【図８】
2013038785.tif 000010
【図９】
2013038785.tif 000011
【図１０】
2013038785.tif 000012
【図１１】
2013038785.tif 000013
【図１２】
2013038785.tif 000014
【図１３】
2013038785.tif 000015
【図１４】
2013038785.tif 000016
【図１５】
2013038785.tif 000017